(57)【要約】【課題】出射光に明暗の差が生じるのを防止し、出射光輝度を均一化する。【解決手段】導光板１０の入射面１１に対向するように複数のＬＥＤ７を配置する。導光板１０の裏面１４側には反射シート１２を配置してある。導光板１０の出射面１３で且つ入射面１１側の近傍には、ＬＥＤ７のカバー部材８を配置してある。また、導光板１０のカバー部材８を配置してない出射面１３には、光拡散部材６，第１の光制御部材４，第２の光制御部材５を順に重ねて配置してある。このうち、プリズム突起１６が導光板１０の入射面１１と平行な方向（幅方向）に延びる第２の光制御部材を、カバー部材８から所定距離だけ離して配置してある。ここで、所定距離をＬとし、導光板１０の入射面１１側の板厚をｄとし、導光板の臨界角をθとすると、Ｌをほぼ２ｄ・ｔａｎθとなるように決定する。【選択図】図４
2006073507.tif 000002
【特許請求の範囲】
【請求項１】
導光板の側面側に点状光源を配置し、前記導光板の出射面で且つ前記導光板の前記側面近傍にカバー部材を配置し、前記カバー部材が配置されない前記導光板の前記出射面側に光制御部材を配置してなる面光源装置において、
前記光制御部材は、前記側面にほぼ沿った方向に延びるプリズム突起が前記側面にほぼ直交する方向に多数形成されていると共に、少なくとも前記点状光源に対応する所定領域における前記光制御部材の前記点状光源側の端部を前記カバー部材から所定距離だけ離して配置するようになっており、
前記所定距離をＬとし、前記導光板の前記側面側の板厚をｄとし、前記導光板の臨界角をθとすると、
前記所定距離Ｌをほぼ２ｄ・ｔａｎθにすることを特徴とする面光源装置。
【請求項２】
前記光制御部材と前記カバー部材との間の隙間に遮光部材を配置するようにしたことを特徴とする請求項１記載の面光源装置。
【請求項３】
導光板の側面側に点状光源を配置し、前記導光板の出射面で且つ前記導光板の前記側面近傍にカバー部材を配置し、前記カバー部材が配置されない前記導光板の前記出射面側に光制御部材を配置してなる面光源装置において、
前記導光板の前記出射面及び前記裏面は、前記側面から所定寸法の範囲内で且つ前記側面に沿った方向のうちの少なくとも前記点状光源に対応する所定領域を遮光部材で遮光してなることを特徴とする面光源装置。
【請求項４】
前記導光板の前記出射面とは反対側の面側には、前記導光板から出射した光を反射して導光板内に戻す光反射部材を配置し、
前記導光板の前記出射面側には、前記光制御部材の他に、前記導光板から出射した光を透過・拡散する光拡散部材を配置してなることを特徴とする請求項１乃至３のいずれかに記載の面光源装置。
【請求項５】
前記導光板の前記出射面とは反対側の面側には、前記導光板から出射した光を反射して導光板内に戻す光反射部材を配置し、
前記導光板の前記出射面側には、前記光制御部材の他に、前記導光板から出射した光を透過・拡散する光拡散部材と、前記光制御部材とは別の光制御部材と、を配置してなることを特徴とする請求項１乃至３のいずれかに記載の面光源装置。
【請求項６】
前記請求項１乃至５のいずれかに記載の面光源装置と、この面光源装置によって面状に照明される画像表示パネルと、を備えたことを特徴とする画像表示装置。
【発明の詳細な説明】
【技術分野】
【０００１】
この発明は、液晶表示パネル等の画像表示パネルを面状に照明する面光源装置及びこの面光源装置を備えた液晶表示装置等の画像表示装置に関するものである。
【背景技術】
【０００２】
従来から、液晶表示装置のバックライト等として使用されている面光源装置は、導光板の側面（入射面）に１個以上のＬＥＤ（点状光源として発光ダイオード）を配置し、このＬＥＤからの光を導光板の内部に導入し、この導光板の内部に導入したＬＥＤからの光を導光板の出射面から液晶表示パネルに向けて照射し、液晶表示パネルを面状に照明するようにしたものが開発されている。
【０００３】
このような面光源装置の一例として、図１０に示す面光源装置１は、導光板１０の出射面１３に対し、光拡散部材６と光制御部材としての２枚のプリズムシート４，５とを順に重ねて配置し、出射光を出射面１３の法線方向寄りに集光するようになっている。このようにすることにより、導光板１０の出射面１３に対向するように配置された画像表示パネル３としての液晶表示パネルを効率的に照明できるようになっている。
【０００４】
また、このような面光源装置１は、導光板１０の出射面１３で且つ入射面１１近傍にＬＥＤ７の駆動用回路基板８を配置し、前記導光板１０の裏面１４に反射シート１２を配置してある。なお、駆動用回路基板８の前記導光板１０の出射面１３と対向する部分には、反射部材（例えば、銀シート）が貼ってある。導光板１０の出射面１３で且つＬＥＤ７の近傍位置から出射する光を駆動用回路基板８に形成されている反射部材で反射して導光板１０の内部に戻し、また、導光板１０の裏面１４から出射する光を反射シート１２で反射して導光板１０の内部に戻して、ＬＥＤ７からの光を照明に有効に使用するようになっている（特許文献１参照）。
【０００５】
また、図１１に示すように、光源としてＬＥＤを使用せず、光源として線状光源１００を使用する面光源装置１０１も開発されている。この図１１に示す面光源装置１０１は、線状光源１００の周囲を光反射器１０２で囲み、線状光源１００の光を直接又は光反射器１０２で反射して導光板１０３の入射面（光源に対向する端面）１０４に向けるようになっている。また、この図１１に示す面光源装置１０１の導光板１０３の出射面１０５側には、光を拡散・透過する光拡散部材１０６と、導光板１０３の入射面１０４に平行な方向に延びるプリズム突起１０７を多数連続して形成してある光制御部材１０８と、を順に重ねて配置してある。そして、この面光源装置１０１は、線状光源１００からの光を導光板１０３の入射面１０４から導光板１０３の内部に入射させ、その入射した光のうちで導光板１０３の出射面１０５から出射する光を光拡散部材１０６で拡散し、その光拡散部材１０６から出射した光を光制御部材１０８で導光板１０３の出射面１０５の法線方向寄りに偏向し、導光板１０３の出射面１０５の法線方向寄りの光の輝度を高めるようになっている（特許文献２参照）。
【０００６】
【特許文献１】特開２００２−２２９０２２号公報
【特許文献２】特許第３５００７２６号公報。
【発明の開示】
【発明が解決しようとする課題】
【０００７】
しかしながら、図１０に示したような面光源装置１は、導光板１０の出射面１３で且つ入射面１１の近傍にＬＥＤ７の駆動用回路基板８を配置し、導光板１０の裏面１４に反射シート１２を配置してあるため、駆動用回路基板８によって反射された光が導光板１０の入射面１１と出射面１３とが交わる端縁（入射面１１側上端縁１７）の近傍から導光板１０の内部に入射したり、また、反射シート１２によって反射された光が導光板１０の入射面１１と裏面１４とが交わる端縁（入射面１１側下端縁１８）の近傍から導光板１０の内部に入射することがある（図６参照）。
【０００８】
これら上端縁１７及び下端縁１８の近傍から導光板１０の内部に入射した光は、導光板１０の入射面１１寄りの出射面１３から多く出射しやすく、出射面１３の法線方向から見た場合には略楕円形状の明部２０として観察され（図７（ａ），（ｂ）参照）、また、出射面１３の法線方向に対して斜めの方向から見た場合には明部２０や光の帯状の輝部領域２１として観察者に視認され（図７（ｃ），（ｄ）参照）、出射光の輝度の均一化を損なう場合があった。
【０００９】
また、図１１に示したような面光源装置１０１は、導光板１０３の入射面１０４の上下の端縁（エッジ）部１１０，１１１から入射する光が入射面１０４近傍の出射面１０５から入射面１０４に平行な帯状の輝線として出射し、その輝線が光制御部材１０８のプリズム突起１０７で強調されて出射されるのを防止するため、光制御部材１０８の線状光源側端縁を光拡散部材１０６の線状光源側端縁よりも線状光源１００から遠ざかる方向に所定寸法Ｌｘ（例えば、１．５ｍｍ以上、好ましくは２ｍｍ以上）ずらすようになっているが、このような構成であっても、導光板１０３の板厚によっては輝線発生防止の効果が不十分であった。また、とりわけ、光源が線状光源１００ではなくＬＥＤ等の点状光源を用いたものである場合には、単にこの図１１に示すような対処を行っても、導光板１０３の板厚によっては、図１０の面光源装置１で問題となっている明部や帯状の輝部領域を解消することが困難であるというのが  実状であった。
【００１０】
そこで、本発明は、導光板の板厚に関わらず、ＬＥＤ等の点状光源を光源として使用した面光源装置の出射光輝度の均一化を図り、高品質の面状照明を可能にすることを目的としている。
【課題を解決するための手段】
【００１１】
請求項１の発明に係る面光源装置は、導光板の側面側に点状光源を配置し、前記導光板の出射面で且つ前記導光板の前記側面近傍にカバー部材を配置し、前記カバー部材が配置されない前記導光板の前記出射面に光制御部材を配置するようになっている。この発明の面光源装置において、前記光制御部材は、前記側面にほぼ沿った方向に延びるプリズム突起が前記側面にほぼ直交する方向に多数形成されていると共に、少なくとも前記点状光源に対応する所定領域における前記光制御部材の前記点状光源側の端部を前記カバー部材から所定距離だけ離して配置するようになっている。そして、前記所定距離をＬとし、前記導光板の側面側の板厚をｄとし、前記臨界角をθとすると、前記所定距離Ｌをほぼ２ｄ・ｔａｎθにすることを特徴としている。
【００１２】
請求項２の発明に係る面光源装置は、請求項１の発明に係る面光源装置において、前記光制御部材と前記カバー部材との間の隙間に遮光部材を配置するようにしたことを特徴としている。
【００１３】
請求項３の発明に係る面光源装置は、導光板の側面側に点状光源を配置し、前記導光板の出射面で且つ前記導光板の前記側面近傍にカバー部材を配置し、前記カバー部材が配置されない前記導光板の前記出射面に光制御部材を配置するようになっている。そして、前記導光板の前記出射面及び前記裏面は、前記側面から所定寸法の範囲内で且つ前記側面に沿った方向のうちの少なくとも前記点状光源に対応する所定領域を遮光部材で遮光してなることを特徴とする。
【００１４】
請求項４の発明に係る面光源装置は、請求項１乃至３のいずれかの発明に係る面光源装置において、前記導光板の前記出射面とは反対側の面側には、前記導光板から出射した光を反射して導光板内に戻す光反射部材を配置するようになっている。また、前記導光板の前記出射面側には、前記光制御部材の他に、前記導光板から出射した光を透過・拡散する光拡散部材を配置している。
【００１５】
請求項５の発明に係る面光源装置は、請求項１乃至３のいずれかの発明に係る面光源装置において、前記導光板の前記出射面とは反対側の面側には、前記導光板から出射した光を反射して導光板内に戻す光反射部材を配置するようになっている。また、前記導光板の前記出射面側には、前記光制御部材の他に、前記導光板から出射した光を透過・拡散する光拡散部材と、前記光制御部材とは別の光制御部材と、を配置している。
【００１６】
請求項６の発明に係る画像表示装置は、上記請求項１乃至５のいずれかの発明に係る面光源装置と、この面光源装置によって面状に照明される画像表示パネルと、を備えたことを特徴としている。
【発明の効果】
【００１７】
光制御部材の点状光源側の端部をカバー部材からほぼ２ｄ・ｔａｎθだけ離して配置するように構成した本発明によれば、導光板の板厚に関わらず、導光板の出射面の法線方向から観察した場合、略楕円形状の明部を目立ちにくくすることができ、法線方向に対して斜めの方向から観察した場合、略楕円形状の明部を目立ちにくくすることができると共に、帯状の輝部領域の発生を防止でき、照明光の輝度の均一化を図ることができる。
【００１８】
また、本発明によれば、カバー部材と光制御部材との間から光が漏れるのを遮光部材で遮光することにより防止し、出射面の光源側近傍に生じる明部や帯状の輝部領域といった不具合の原因となる光を遮光部材で吸収して、そのような不具合の発生原因となる光が再度導光板内部に戻されるのを防止できるため、より一層効果的に出射光輝度の均一化を図ることが可能になる。
【００１９】
また、導光板の出射面及び裏面に、側面から所定寸法の範囲内で且つ側面に沿った方向のうちの少なくとも点状光源に対応する所定領域を遮光部材で遮光した構成の発明によれば、導光板の板厚に関わらず、導光板の出射面の法線方向及び法線方向に対して斜めの方向から観察した場合、略楕円形状の明部及び帯状の輝部領域の発生を防止でき、照明光の輝度の均一化を図ることができる。
【００２０】
したがって、本発明の面光源装置及びこれを備えた画像表示装置は、高品質の面状照明及び高品質の画像表示が可能になる。
【発明を実施するための最良の形態】
【００２１】
以下、本発明の実施の形態を図面に基づき詳述する。
【００２２】
［第１実施形態］
図１乃至図４は、本発明の第１実施形態に係る面光源装置１及びこの面光源装置１を備えた画像表示装置２を示すものである。このうち、図１は、画像表示装置２を分解して模式的に示す外観斜視図である。また、図２は、画像表示パネル３，第１乃至第２の光制御部材４，５，光拡散部材６及びＬＥＤ（点状光源）７の駆動用回路基板（カバー部材）８を仮想線で示す画像表示装置２の平面図である。また、図３は、画像表示装置２の側面図である。また、図４は、導光板１０の入射面（側面）１１側端部を拡大して示す側面図である。
【００２３】
これらの図に示すように、本実施の形態に係る面光源装置１は、反射シート（光反射部材）１２の上に導光板１０、光拡散部材６、第１乃至第２の光制御部材４，５を順次重ねて配置し、導光板１０の入射面１１に対向するように複数のＬＥＤ７を配置してなっている。また、ＬＥＤ７及び導光板１０の入射面１１側の出射面１３の上には、カバー部材としての駆動用回路基板８が跨って配置されている。そして、この面光源装置１を構成する第２の光制御部材５の上に画像表示パネル３を重ねて配置して画像表示装置２を構成するようになっている。この画像表示装置２の画像表示パネル３は、面光源装置１によって面状に照明されることになる。
【００２４】
導光板１０は、ＰＭＭＡ（ポリメタクリル酸メチル）、ＰＣ（ポリカーボネート）、シクロオレフィン系樹脂材料等の光透過性に優れた材料が使用され、薄板状に形成されている（図１参照）。この薄板状の導光板１０は、平面形状が略矩形形状を呈しており（図２参照）、入射面１１に直交し且つ出射面１３に直交する平面によって切断して示す断面形状が、入射面１１から遠ざかるにしたがって板厚を減少させる楔形状を呈している（図３参照）。また、この導光板１０は、最も板厚が厚い側面を入射面１１としている。なお、導光板１０は、この実施形態のような断面形状が楔形状のものに限られず、平板形状のものでもよい。
【００２５】
図１及び図２に示すように、導光板１０の入射面１１側には、複数のＬＥＤ７がほぼ等間隔で配置されており、このＬＥＤ７から出射された光が入射面１１側から導光板１０内部に入射するようになっている。
【００２６】
また、図１，図３及び図４に示すように、導光板１０の裏面（図３の下面）１４には、光反射性に優れたＰＥＴ（ポリエチレンテレフタレート）等の樹脂材料で形成された白色の反射シート（光反射部材）１２が配置されている。この反射シート１２は、導光板１０の裏面１４側から出射した光を反射して、その光を再び導光板１０の内部に戻すようになっている。なお、反射シート１２は、ＰＥＴ等の樹脂材料シートに限られず、銀シートや鏡面シートでもよい。また、光反射部材としては、反射シート１２に限られず、光反射が可能である限り、導光板１０等を収容するフレームやケースの内面でもよい。
【００２７】
また、図１乃至図４に示すように、導光板１０の出射面１３側で且つ入射面１１近傍領域には、ＬＥＤ７の駆動用回路基板８が配置されている。このＬＥＤ７の駆動用回路基板８は、導光板１０の出射面１３に対向する面が光反射性に優れており、導光板１０の出射面１３から出射した光を反射して、その反射した光を再度導光板１０の内部に戻すようになっている。なお、本実施の形態において、ＬＥＤ７の駆動用回路基板８の導光板１０に対向する面を、白色の反射面（拡散反射面）、グレー色の反射面（光吸収性を有する反射面）、又は銀色の反射面（鏡面反射面）とし、このような面を備えた駆動用回路基板８をカバー部材としてもよい。また、カバー部材は、導光板１０の裏面１４側に配置される反射部材と一体のものでもよい。また、カバー部材は、導光板１０の出射面１３に接する態様の他、導光板１０の出射面１３に粘着テープで固定する態様でもよい。
【００２８】
また、導光板１０は、図１乃至図４に示すように、その出射面１３側で且つカバー部材としての駆動用回路基板８が配置されていない部分に、シート状の光拡散部材６が重ねるように配置されている。この光拡散部材６は、光透過性に優れた材料（例えば、ＰＥＴ等）で形成されており、導光板１０の出射面１３から出射した光をランダムに透過拡散させるようになっている。そして、この光拡散部材６のＬＥＤ７側端部は、ＬＥＤ７の駆動用回路基板８に隣接するように位置している。なお、この光拡散部材６の配置状態としては、これ以外にそのＬＥＤ７側の端部を、ＬＥＤ７の駆動用回路基板８に乗り上げるような位置に配置したり、また、ＬＥＤ７の駆動用回路基板８と第１及び第２の光制御部材４，５との間の位置に配置したり、また、第１及び第２の光制御部材４，５のＬＥＤ７側端部と合致する位置に配置してもよい。
【００２９】
また、図１乃至図４に示すように、導光板１０の出射面１３側に重ねるように配置された光拡散部材６の上には、シート状の第１の光制御部材４と第２の光制御部材５とが順次重ねて配置されている。これら第１及び第２の光制御部材４，５は、光透過性に優れた材料（ＰＥＴ等）で形成されており、平面形状がほぼ矩形形状に形成されている。第１の光制御部材４の出射面側には、導光板１０の入射面１１に対してほぼ直交する方向に延びる頂角がほぼ９０°の断面略三角形状のプリズム突起１５が、導光板１０の入射面１１と平行な方向に連続して複数形成されている。また、第２の光制御部材５の出射面側には、第１の光制御部材４のプリズム突起１５とほぼ同様の断面形状のプリズム突起１６が、第１の光制御部材４のプリズム突起１５に対してほぼ直交する方向に延びるように、平行に且つ連続して複数形成されている（特に、図１参照）。
【００３０】
これら第１及び第２の光制御部材４，５は、図４に詳細を示すように、ＬＥＤ７の駆動用回路基板８から所定距離Ｌだけ離して配置されている。ここで、所定距離Ｌは、導光板の入射面１１側の板厚をｄとし、臨界角をθとすると、ほぼ２ｄ・ｔａｎθになるように決定される。
【００３１】
本実施例では平面形状がほぼ矩形形状に形成されている光制御部材４，５を用いた場合について述べたが、光制御部材４，５のＬＥＤ７側の端部のＬＥＤ７に対応する所定位置に切り欠きを形成して、ＬＥＤ７に対応する位置のみ駆動用回路基板８から光制御部材４，５の端部が所定距離Ｌだけ離れて配置されるようにしてもよい。このような場合でも、矩形形状の光制御部材４，５の端部を駆動用回路基板８から所定距離Ｌだけ話して配置されたのと同様の効果が得られる。
【００３２】
以上のように構成された本実施形態の画像表示装置２は、ＬＥＤ７から出射した光が導光板１０の入射面１１から導光板１０の内部に入射すると共に、ＬＥＤ７からの光Ｈ１，Ｈ２が導光板１０の入射面１１の上端縁（入射面と出射面との交わる部分）１７の近傍又は導光板１０の入射面１１の下端縁（入射面と裏面との交わる部分）１８の近傍から入射する（図４参照）。
【００３３】
この導光板１０の入射面１１の上・下端縁１７，１８の近傍から入射する光Ｈ１，Ｈ２は、図４に示すように、入射面１１から入射する光よりも、出射面１３に対する入射角が小さいため、導光板１０の入射面１１近傍の出射面１３及び裏面１４から外部に出射しやすく、反射シート１２やＬＥＤ７のカバー部材８で反射されて、再度導光板１０の内部に戻されるという動きを繰り返し、光拡散部材６に対向する導光板１０の出射面１３から出射する。その際、本実施形態においては、上記した所定距離Ｌの部分に光制御部材４及び５（特に光制御部材５）が存在しないため、ＬＥＤ７のカバー部材８と第１及び第２の光制御部材４，５との間の出射面１３から出射する光Ｈ１，Ｈ２は、光拡散部材６を透過する際にランダムに拡散させられるのみである。
【００３４】
その結果、導光板１０の出射面１３の法線方向から見た場合には、図５（ａ），（ｂ）に示すように、略楕円形状の明部２０が目立ちにくくなり、出射光の明暗の差が緩和されるため、出射光輝度が均一化する。また、導光板１０の出射面１３の法線方向に対して斜めの方向から見た場合にも、図５（ｃ），（ｄ）に示すように、略楕円形状の明部２０が目立ちにくくなると共に、図７に示すような帯状の輝部領域２１が解消され、出射光の明暗の差が緩和されるため、出射光輝度が均一化する。
【００３５】
これに対して、図６に示す従来のものにおいては、ＬＥＤ７の駆動用回路基板８の端部に隣接させて光拡散部材６及び第１及び第２の光制御部材４，５を配置した状態となっているため、導光板１０の入射面１１の上・下端縁１７，１８の近傍から入射した光Ｈ１，Ｈ２は、導光板１０の入射面１１の近傍の出射面１３から出射した後に、特に光Ｈ１，Ｈ２の進行方向（入射面１１に直交する方向）にほぼ直交する方向に延びる第２の光制御部材５のプリズム突起１６によって出射面１３の法線方向に向けられることになり（図１０参照）、導光板１０の入射面１１の上・下端縁１７，１８から導光板１０に入射した光Ｈ１，Ｈ２は、入射面１１から入射した光とは出射面１３からの出射方向が異なるため、光Ｈ１，Ｈ２に起因する明部２０が強調されることになる（図７参照）。すなわち、このような構成の面光源装置１によれば、入射面１１以外から導光板１０に入射した光Ｈ１，Ｈ２は、導光板１０の出射面１３の法線方向から見た場合には、図７（ａ），（ｂ）に示すように、ほぼ楕円形状の明部２０として観察され、導光板１０の出射面１３の法線方向に対して斜めの方向から見た場合には、図７（ｃ），（ｄ）に示すように、略楕円形状の明部２０と帯状の輝部領域２１として観察者によって視認されることになる。
【００３６】
しかし、本実施の形態に係る面光源装置１は、特に明部２０及び帯状の輝部領域２１が生じやすい部分に第１乃至第２の光制御部材４，５（特に第２の光制御部材５）を配置しないようになっているため、効果的に明部２０を緩和して目立ちにくくすると共に、帯状の輝部領域２１の発生を防止することができる（図５参照）。
【００３７】
したがって、本実施の形態によれば、出射光輝度を均一化することができ、高品質の面状照明及び高品質の画像表示が可能になる。
【００３８】
また、本実施の形態によれば、明部２０を緩和して目立ちにくくすることができると共に、帯状の輝部領域２１の発生を防止できる分だけ、利用できる出射光面積が増大し、光の利用効率が増加する。
【００３９】
なお、本実施の形態は、第１及び第２の光制御部材４，５をＬＥＤ７のカバー部材８から所定距離Ｌだけ離して配置する態様を例示したが、上述したように、少なくとも第２の光制御部材５をＬＥＤ７の駆動用回路基板８から所定距離Ｌだけ離して配置すれば、明部２０を緩和できると共に帯状の輝部領域２１を生じにくくすることができる。
【００４０】
［第２実施形態］
図８は、本発明の第２実施形態を示すものである。本実施形態の面光源装置１及びこれを備えた画像表示装置２は、その基本的構造が第１実施形態と同様であるが、カバー部材８と第１及び第２の光制御部材４，５との間の隙間に遮光部材３０を配置し、カバー部材８と第１及び第２の光制御部材４，５との間から光拡散部材６を通過した光が画像表示パネル３側に漏れるのを遮光部材３０で抑えるようになっている。ここで、遮光部材３０は、例えば、フレーム（図示しない）に貼り付けられた、導光板１０の出射面１３に対向する面側が黒色で光を吸収できるようになっている両面テープが考えられる。
【００４１】
このような本実施形態の構成によれば、カバー部材８と第１及び第２の光制御部材４，５との間から光が漏れるのを遮光部材３０で遮光することにより防止し、出射面１３の光源側近傍に生じる明部２０や帯状の輝部領域２１といった不具合の原因となる光を遮光部材３０で吸収して、そのような不具合の発生原因となる光が再度導光板１０内部に戻されるのを防止できるため、上述の第１実施形態において明部２０の緩和や帯状の輝部領域２１の発生を充分に抑えることができない場合に採用すると、より一層出射光輝度の均一化を図ることが可能になる。
【００４２】
［第３実施形態］
また、図９は、本発明の第３実施形態を示すものである。本実施形態の面光源装置１及びこれを備えた画像表示装置２は、その基本的構造が上述の第１実施形態と同様であるが、第２の光制御部材５をＬＥＤ７の駆動用回路基板（カバー部材）８から所定距離Ｌだけ離して配置する構成になっておらず、光拡散部材６，第１乃至第２の光制御部材４，５をＬＥＤ７の駆動用回路基板８に隣接して配置する構成において第１実施形態と相違する。
【００４３】
また、本実施の形態に係る面光源装置１は、導光板１０の出射面１３及び裏面１４であって、入射面１１の上端縁１７又は下端縁１８から所定寸法Ｌａの範囲内で且つ入射面１１に沿った全域（導光板１０の幅方向全域）を遮光部材（例えば、印刷，遮光テープ等）２２で覆うようになっており、この構成が前記第１実施形態と相違する本実施の形態の特徴部分である。ここで、所定寸法Ｌａは、０．１ｍｍ〜０．３ｍｍを目安に形成することになるが、これに限られず、少なくとも、入射面１１の上・下端縁１７，１８の近傍からの光の入射を阻止することができればよい。また、入射面１１の上端縁１７とは、入射面１１と出射面１３とが交わるコーナー部である。また、入射面１１の下端縁１８とは、入射面１１と裏面１４とが交わるコーナー部である。なお、遮光部材２２は、入射面１１に沿った全域（導光板１０の幅方向全域）に形成する態様に限られず、少なくともＬＥＤ７に対向する所定領域の範囲に限定して形成するようにしてもよい。
【００４４】
遮光部材２２は、液状体（例えば、インク）の場合、塗布または吹き付け等により導光板１０の出射面１３及び裏面１４に固着される。また、遮光部材２２は、膜状体（例えば、遮光テープ）の場合、導光板１０の出射面１３及び裏面１４に貼着されるようになっている。
【００４５】
このような構成の本実施の形態によれば、導光板１０の入射面１１近傍に生じる明部２０や帯状の光の輝部領域２１の発生原因となる光が導光板１０内部に入射するのを、遮光部材２２で阻止し、ＬＥＤ７からの光Ｈ３を入射面１１のみから入射させることができる。その結果、本実施の形態によれば、導光板１０の入射面１１近傍の出射面１３側に、明部２０や帯状の光の輝部領域２１が生じるのを効果的に防止でき、出射光の輝度の均一化を図ることが可能になる（図５、図７参照）。
【００４６】
したがって、本実施の形態によれば、明部２０や帯状の光の輝部領域２１が生じない分だけ、利用できる出射光面積が増大し、光の利用効率が増加する。
【図面の簡単な説明】
【００４７】
【図１】本発明の第１実施形態に係る面光源装置及びこれを備えた画像表示装置を分解して模式的に示す外観斜視図である。
【図２】本発明の第１実施形態に係る面光源装置及びこれを備えた画像表示装置を示す図であり、画像表示パネル，第１乃至第２の光制御部材，光拡散部材及びＬＥＤ（点状光源７のカバー部材（第２光反射部材）を仮想線で示す画像表示装置の平面図である。
【図３】本発明の第１実施形態に係る画像表示装置の側面側断面図であり、図２のＡ−Ａ線に沿って切断して示す断面図である。
【図４】本発明の第１実施形態に係る面光源装置を示す図であり、導光板の入射面側端部を拡大して示す側面図である。
【図５】本発明の第１実施形態に係る面光源装置の出射面側の出射光観察状態を示す図である。（ａ）は、出射面の法線方向から観察する状態を模式的に示す面光源装置の側面図であり、（ｂ）は、その観察状態に係る面光源装置の平面図である。また、（ｃ）は、出射面の法線方向に対して斜めの方向から観察する状態を模式的に示す面光源装置の側面図であり、（ｄ）は、その観察状態に係る面光源装置の平面図である。
【図６】従来例に係る面光源装置を示す図であり、導光板の入射面側端部を拡大して示す側面図である。
【図７】図６に示す面光源装置の出射面側の出射光観察状態を示す図である。（ａ）は、出射面の法線方向から観察する状態を模式的に示す面光源装置の側面図であり、（ｂ）は、その観察状態に係る面光源装置の平面図である。また、（ｃ）は、出射面の法線方向に対して斜めの方向から観察する状態を模式的に示す面光源装置の側面図であり、（ｄ）は、その観察状態に係る面光源装置の平面図である。
【図８】本発明の第２実施形態に係る面光源装置を示す図であり、導光板の入射面側端部を拡大して示す図である。
【図９】本発明の第３実施形態に係る面光源装置を示す図であり、導光板の入射面側端部を拡大して示す図である。
【図１０】第１の従来例に係る面光源装置及びこれを備えた画像表示装置を分解して模式的に示す外観斜視図である。
【図１１】第２の従来例に係る面光源装置を示す図であり、導光板の入射面側端部を拡大して示す側面図である。
【符号の説明】
【００４８】
１……面光源装置、２……画像表示装置、３……画像表示パネル、５……第２の光制御部材（光制御部材）、６……光拡散部材、７……ＬＥＤ（点状光源）、８……カバー部材、１０……導光板、１１……入射面（側面）、１２……反射シート（光反射部材）、１３……出射面、１４……裏面、１６……プリズム突起、１７……上端縁（コーナー部）、１８……下端縁（コーナー部）、２２……遮光部材、３０……遮光部材
【図１】
2006073507.tif 000003
【図２】
2006073507.tif 000004
【図３】
2006073507.tif 000005
【図４】
2006073507.tif 000006
【図５】
2006073507.tif 000007
【図６】
2006073507.tif 000008
【図７】
2006073507.tif 000009
【図８】
2006073507.tif 000010
【図９】
2006073507.tif 000011
【図１０】
2006073507.tif 000012
【図１１】
2006073507.tif 000013